(57)【要約】      （修正有）【課題】極めて小型であり、かつ、照明機能及び笛機能を備えているばかりではなく、とりわけ、防犯時に素早く操作することが可能なブザー機能を備え、かつ、とりわけ、災害時に身元確認が容易に可能である個人認証機能を更に備え、好ましくは、携帯電話用ストラップとして使用することにより、常に身に着けておくことが可能な携帯型防災防犯用品を提供する。【解決手段】棒状の本体の長手方向の一方の端に照明機能を備え、他方の端に笛機能を備え、これらに加えて、ブザー機能及び個人認証機能を更に備える、携帯型防災防犯用品である。本携帯型防災防犯用品は、好ましくは、携帯電話用ストラップとして使用される。【選択図】図１
0003172034.tif 000002
【実用新案登録請求の範囲】
【請求項１】
棒状の本体の長手方向の一方の端に照明機能を備え、他方の端に笛機能を備え、これらに加えて、ブザー機能及び個人認証機能を更に備える、携帯型防災防犯用品。
【請求項２】
上記棒状の本体の長さが５０〜８０ｍｍであり、かつ該棒状の本体の長手方向に垂直な面で切断したときの断面の最大径が５〜１５ｍｍである、請求項１記載の携帯型防災防犯用品。
【請求項３】
上記照明機能が、ＬＥＤライトとそれに使用する電源とから成る、請求項１又は２記載の携帯型防災防犯用品。
【請求項４】
上記照明機能及び上記ブザー機能の電源が同一である、請求項１〜３のいずれか一つに記載の携帯型防災防犯用品。
【請求項５】
携帯電話用ストラップとして使用する、請求項１〜４のいずれか一つに記載の携帯型防災防犯用品。
【考案の詳細な説明】
【技術分野】
【０００１】
本考案は、携帯型防災防犯用品に関し、更に詳しくは、地震等の災害時及び防犯時に有用な、照明機能、笛機能等を備えた携帯型防災防犯用品に関する。
【背景技術】
【０００２】
従来、照明機能、笛機能等を備えた防災及び防犯用品としては種々のものが知られている。例えば、身動きの取れない人が自己の存在を音で第三者に知らせるために使用する警笛手段を携帯用電燈と組に備えた防災用警笛として、ホイッスルを懐中電灯と組み合わせたものが知られている（特許文献１）。しかし、該警笛手段を携帯用電燈と組に備えた防災用警笛は、自体寸法が大きくかつ重量も重く、実際の使用においては持ち運びに不便であった。また、小型化したものも提案されているが、警報手段と電燈を同時に使用する場合の信頼性に欠けるものであり、かつ、その小型化も十分ではなかった。このような使用時の信頼性を達成するためのものとして、例えば、電池収納部を有する本体部と、該本体部の一方端側に設けられた照明部と、該本体部に一体にまたは着脱可能に設けられた笛部などの音声発生部とから成る警報発生用携帯ライトにおいて、照明部が、本体部の先端に設けられた発光部の外周を覆って本体部に固定された側壁面が透明な第２照明用筒体と、該第２照明用筒体と二重に重なり、前方へ摺動可能な第１照明用筒体とからなっており、該第１照明用筒体の側壁面が遮光性を有しており、第１照明用筒体を延長方向へ引き出した際に、第２照明用筒体の側方から発光体の光が照射され、第１照明用筒体を第２照明用筒体と重なる位置に戻すと第１照明用筒体の先端から発光体の光が照射されるようになっている警報発生用携帯ライト（特許文献２）、軸状に形成された本体の一端側に形成された笛構造と、前記本体の他端側に形成された発光器とを備えた発光器付笛であって、前記本体内に、前記本体の軸線方向に端面を有する第１電極及び他の部分に形成された第２電極を備えた電池と、前記本体の軸線方向に端面を有する第１端子及び他の部分に形成された第２端子を備えた発光素子と、前記電池に対して前記発光素子を離反方向に付勢する付勢手段と、前記発光素子に接触し、前記電池に対して前記発光素子を接近方向に移動させるための外部操作部材とを設け、前記本体を介して前記第２電極を前記第２端子に導電接続すると共に、前記第１電極を前記第１端子とを対向配置させ、前記外部操作部材により前記発光素子を前記付勢手段の付勢力に抗して前記接近方向に移動させ、前記第１電極と前記第１端子とを導電接触させるように構成した発光器付笛（特許文献３）が知られている。しかし、これらのものは警報手段と電燈を同時に使用する場合の信頼性には優れるものの、各種の機能を付与するために、その寸法は必然的に大きくならざるを得ず、かつ、比較的高価なものとならざるを得なかった。
【０００３】
より小さな寸法でかつ比較的携帯可能なものとして、ペン型のものが提案された。例えば、電池を収納する本体にスイッチを設け、一方の端に着脱可能なカバーを、その内部に笛を格納し、他方の端に透明ライトカバーを、その内部に豆電球を設けた笛付懐中電灯であって、スイッチ部分をクリップにしてペン型にしたもの（特許文献４）、先端部にライトを備え、側部にスイッチ及びクリップを備えてなるペンライトの後方に、後端部に吹込口を備え側部に吹出口を備えた笛を設けたペン型ライト付笛（特許文献５）、ペンライトは筒状に形成されたペンライト本体と、該ペンライト本体に装填されかつ電池が収納可能に形成された絶縁性を有する筒体と、該筒体に粘着するシールとを備えること、上記シールには上記ペンライトを所有する所有者の個人情報が表示されていること、上記ペンライト本体の周面の少なくとも一部には中を開けて見るように指示するメッセージが表記されていることの要件を備えるペンライトであって、別途、クリップ等で笛を取り付けることができるもの（特許文献６）、及び、電源による小形携帯用ＬＥＤライト、警報装置、発信装置を備えた本体に取り外し式のホイッスルが組み込まれた一体型の携帯用警報器具（特許文献７）が知られている。しかし、これらのペン型のものであってもその寸法は比較的大きく、かつ、ペン型である故、例えば、胸のポケット等に装着しておかなければならず、災害時、防犯時に必ずしも携帯しているとは限らず、従って、余り有効であるとは言えなかった。
【先行技術文献】
【特許文献】
【０００４】
【特許文献１】登録実用新案第３０１４３９０号公報
【特許文献２】特開２００７−３０５３１６号公報
【特許文献３】登録実用新案第３０２６３１１号公報
【特許文献４】特開平１０−２７５０１号公報
【特許文献５】特開平８−２２１０７８号公報
【特許文献６】実用新案登録第３１１７５０６号公報
【特許文献７】実用新案登録第３１１６９７５号公報
【考案の概要】
【考案が解決しようとする課題】
【０００５】
本考案は、極めて小型であり、かつ、照明機能及び笛機能を備えているばかりではなく、とりわけ、防犯時に素早く操作することが可能なブザー機能を備え、かつ、とりわけ、災害時に身元確認が容易に可能である個人認証機能を更に備え、好ましくは、携帯電話用ストラップとして使用することにより、常に身に着けておくことが可能な携帯型防災防犯用品を提供するものである。
【課題を解決するための手段】
【０００６】
本来、照明機能、笛機能等を有する防災防犯用品は、防災時及び防犯時に身に着けていなければ何の意味もないものである。しかし、それ自体の寸法が大きくなれば、必然的に重量も増え、従って、名目上は携帯用であっても、家の中に置いておいたり、また、ある程度小型化されて携帯可能であっても鞄等の中にしまっておくようなことが殆どであり、このような鞄を常に携帯していることは不可能である。これでは、緊急的な災害時やとっさの対応を必要とする防犯時に利用できないことも多い。そこで、本考案者は、どのようにすれば、このような防災防犯用品をより多く携帯することができるのかについて種々検討した。その結果、現在、日本において広く使用されている携帯電話に取り付けることができれば、殆どの人が携帯電話を身に着けているので、緊急的な災害時や防犯時に有効に利用可能であると考え、そして、携帯電話に取り付けることのできる大きさに小型化し、かつ、照明機能及び笛機能のほかに、更に、ブザー機能及び個人認証機能を備えれば、より一層、防災防犯用品としての効果が高まるであろうことに思い当たり、本考案を完成するに至った。
【０００７】
即ち、本考案は、
（１）棒状の本体の長手方向の一方の端に照明機能を備え、他方の端に笛機能を備え、これらに加えて、ブザー機能及び個人認証機能を更に備える、携帯型防災防犯用品である。
【０００８】
好ましい態様として、
（２）上記ブザー機能及び上記個人認証機能が、上記の両端部に備えられた照明機能及び笛機能の間に備えられている、上記（１）記載の携帯型防災防犯用品、
（３）上記棒状の本体の長さが５０〜８０ｍｍである、上記（１）又は（２）記載の携帯型防災防犯用品、
（４）上記棒状の本体の長さが６０〜８０ｍｍである、上記（１）又は（２）記載の携帯型防災防犯用品、
（５）上記棒状の本体の長さが７０〜８０ｍｍである、上記（１）又は（２）記載の携帯型防災防犯用品、
（６）上記棒状の本体の長手方向に垂直な面で切断したときの断面の最大径が５〜１５ｍｍである、上記（１）〜（５）のいずれか一つに記載の携帯型防災防犯用品、
（７）上記棒状の本体の長手方向に垂直な面で切断したときの断面の最大径が９〜１３ｍｍである、上記（１）〜（５）のいずれか一つに記載の携帯型防災防犯用品、
（８）上記棒状の本体の長手方向に垂直な面で切断したときの断面の形状が、円形、正方形又は長方形である、上記（１）〜（７）のいずれか一つに記載の携帯型防災防犯用品、
（９）上記棒状の本体の長手方向に垂直な面で切断したときの断面の形状が長方形であり、かつ、その長辺の長さが８〜１２ｍｍであり、その短辺の長さが３〜７ｍｍである、上記（１）〜（８）のいずれか一つに記載の携帯型防災防犯用品、
（１０）上記棒状の本体の長手方向に垂直な面で切断したときの断面の形状が長方形であり、かつ、その長辺の長さが９〜１１ｍｍであり、その短辺の長さが４〜６ｍｍである、上記（１）〜（８）のいずれか一つに記載の携帯型防災防犯用品、
（１１）上記照明機能が、ＬＥＤライトとそれに使用する電源とから成る、上記（１）〜（１０）のいずれか一つに記載の携帯型防災防犯用品、
（１２）上記照明機能及び上記ブザー機能の電源が同一である、上記（１）〜（１１）のいずれか一つに記載の携帯型防災防犯用品、
（１３）携帯電話用ストラップとして使用する、上記（１）〜（１２）のいずれか一つに記載の携帯型防災防犯用品
を挙げることができる。
【考案の効果】
【０００９】
本考案の携帯型防災防犯用品は、非常に小型であり、好ましくは携帯電話用ストラップとして使用することができ、従って、ほぼ常時携帯していることから、緊急的な防災時及び災害時に著しく効果的に利用可能である。
【図面の簡単な説明】
【００１０】
【図１】図１は、本考案の携帯型防災防犯用品の一実施態様を示した概略図である。
【図２】図２は、図１に示した携帯型防災防犯用品を携帯電話用のストラップとして使用した際の概略図である。
【考案を実施するための形態】
【００１１】
本考案の携帯型防災防犯用品は、棒状の本体の長手方向の一方の端に照明機能を備え、他方の端に笛機能を備え、これらに加えて、ブザー機能及び個人認証（ＩＤ）機能を更に備える。好ましくは、ブザー機能及び個人認証機能が、両端部に備えられた照明機能及び笛機能の間に備えられている。ここで、棒状の本体の形状は、上記の各機能を搭載できるものであれば、特に制限はない。例えば、円柱、四角柱、六角柱等の多角柱の形状が挙げられる。好ましくは円柱又は四角柱の形状を有するものが使用される。より好ましくは四角柱の形状を有するものが使用され、その長手方向に垂直な面で切断したときの断面の形状が長方形のものがより好ましい。棒状の本体の寸法は、携帯可能な寸法であればよいが、とりわけ、携帯電話用ストラップとして使用し得る程度の大きさであることが好ましい。ここで、携帯電話としては、電話機能のみを備えるものに限らず、その他の種々の機能を併せ持つもの、いわゆる多機能携帯電話であってもよい。例えば、スマートフォン等が挙げられる。棒状の本体の長さは、好ましくは５０〜８０ｍｍ、より好ましくは６０〜８０ｍｍ、更に好ましくは７０〜８０ｍｍである。また、棒状の本体の長手方向に垂直な面で切断したときの断面の最大径が、好ましくは５〜１５ｍｍ、より好ましくは９〜１３ｍｍである。棒状の本体の長さ及び断面の最大径が、上記上限を超えては携帯用として好ましくなく、一方、上記下限未満では所定の機能を十分に発揮できないことがある。本考案の棒状の本体の好ましい態様である断面形状が長方形であるとき、該長方形の長辺の長さは、好ましくは８〜１２ｍｍ、より好ましくは９〜１１ｍｍであり、該長方形の短辺の長さは、好ましくは３〜７ｍｍ、より好ましくは４〜６ｍｍである。棒状の本体の材質としては、例えば、プラスチック、金属、例えば、アルミニウム、アルミニウム合金、ステンレス、亜鉛合金等、セラミック、木材等が挙げられる。携帯型防災防犯用品の重量、耐久性及び価格等の関係から、プラスチック、アルミニウム合金等の金属が好ましく使用される。
【００１２】
本考案の携帯型防災防犯用品に備えられる照明機能に特に制限はない。通常の白熱電球と電源、即ち、電池の組合せでもよい。しかし、照明の明るさ、電源の寿命、棒状の本体の寸法等との関係から、ＬＥＤライトとそれに使用する電源とから成ることが好ましい。該照明機能としては、連続的に点灯するもの、断続的に点滅するもの、又は、この両者の機能を併せ持つものがあり、両者の機能を併せ持つものが好ましい。また、携帯型防災防犯用品に備えられる笛機能についても特に制限はない。本考案においては、棒状の本体の一の端部に空気吹込み口を設け、棒状の本体の、該端部から所定距離離れた側部に空気吹出し口を設けて笛機能とすることができる。防災防犯用であるから、比較的高音域の音を発するものが好ましい。該笛機能には、汚染防止のために、その空気吹込み口にキャップを設けることもできる。該キャップは、着脱可能であってもよく、一体型であってもよい。また、本考案の携帯型防災防犯用品においては、棒状の本体の任意の箇所、好ましくは両端部の間に、ブザー機能及び個人認証機能が備えられている。ブザー機能は、スイッチに触れることにより音を発するものであればよい。該ブザー機能に使用する電源は、照明機能に使用する電源と同一であっても異なっていてもよい。小型化及び軽量化の観点からは、ブザー機能に使用する電源と照明機能に使用する電源とが同一であることが好ましい。また、ブザー機能は照明機能に隣接して設けられていることが好ましい。個人認証（ＩＤ）機能とは、本考案の携帯型防災防犯用品を身に着けている人の身元を認証するための機能である。即ち、該機能により、携帯型防災防犯用品を身に着けている人の氏名、住所、性別、年齢、血液型、連絡先、例えば、電話番号等が明らかになる。個人認証機能としては、棒状の本体の一部分にカプセル型の空洞を設けて、その中に上記事項を紙片に記載して保管していてもよいが、ＩＣチップ、メモリーカード等を使用することがより好ましい。これにより、更なる小型化、軽量化を達成することができる。また、携帯型防災防犯用品の個人認証機能部分の表面には、個人認証機能である旨の記載を有することが好ましい。例えば、「個人認証機能」の文字、又は、「ＩＤ」の文字等が挙げられる。加えて、本考案の携帯型防災防犯用品に小型太陽電池を組み込めば、ブザー機能又は照明機能の電源及びその補完に使用し得る。また、本考案の携帯型防災防犯用品においては、その外表面に夜間でも認識可能なように蛍光物質を施与する等、種々の装飾を施すこともできる。
【００１３】
以下、本考案の携帯型防災防犯用品の一実施態様を図面に従って説明する。図１には、本考案の携帯型防災防犯用品の一実施態様の概略図を示した。該携帯型防災防犯用品（Ａ）において、棒状の本体（ａ）は四角柱状であり、長手方向に垂直な面で切断した断面（Ｘ−Ｘ断面）の形状は長方形である。ここで、棒状の本体の長さ（ｌ）は７０ｍｍであり、断面の長方形の長辺の長さ（幅）（ｗ）は１０ｍｍであり、短辺の長さ（厚さ）（ｔ）は５ｍｍである。該棒状の本体（ａ）の右端に照明機能（１）を備え、左端に笛機能（２）を備えている。照明機能（１）はＬＥＤライト（５）とそれに使用する電源（電池）（図示せず）とから成る。ＬＥＤライト（５）及び電源（電池）は、通常、市販品を使用することができる。ＬＥＤライト（５）としては、通常、ＬＥＤライトの径が３〜１０ｍｍ程度のものが使用される。例えば、ローム株式会社、コーデンシ株式会社、星和電機株式会社、アルワン電子株式会社、パナソニック株式会社、アバゴテクノロジー社から販売されている製品を使用することができる。また、電源（電池）としては、例えば、パナソニック株式会社、日立マクセル株式会社、ソニー株式会社、株式会社東芝から販売されている製品を使用することができる。図１に示した携帯型防災防犯用品には、ＬＥＤライトの径が３〜４ｍｍ程度のものが適している。ＬＥＤライト（５）はスイッチ（７）に触れることにより発光する。左端の笛機能（２）は、端部に設けられた空気吹込み口（８）と該端部から約１０ｍｍ離れた側部に設けられた空気吹出し口（９）とから構成されている。人が空気吹込み口（８）から空気を吹き込むことにより音を発生することができる。該実施態様においては、空気吹込み口（８）には着脱可能型の保護キャップ（１１）が備えられている。また、該携帯型防災防犯用品（Ａ）においては、照明機能（１）に隣接してブザー機能（３）が設けられている。ブザー機能（３）の電源としては、ＬＥＤライト（５）の電源（電池）が使用されている。該ブザー機能（３）はそのスイッチ（１０）に触れることにより音を発することができる。該ブザー機能（３）により発せられた音は、ブザー音出口（６）により外部に放出される。該実施態様においては、ブザー音出口（６）はＬＥＤライト（５）と同じ棒状の本体（ａ）の右端部に設けられているが、もちろん、これに限定されることなく、棒状の本体（ａ）の側部に設けられていてもよい。また、笛機能（２）と該ブザー機能（３）との間に個人認証機能（４）が設けられている。個人認証機能（４）の表面部分には、第三者が個人認証機能と認識できるように「ＩＤ」の文字が大きく記載されている。該携帯型防災防犯用品（Ａ）においては、メモリーカードを使用して氏名、住所、性別、年齢、血液型、連絡先、例えば、電話番号等を記録しているばかりではなく、特に重要な事項である氏名、性別、血液型等については紙片に記載して同時に保管することができる。図２は、図１に示した携帯型防災防犯用品（Ａ）を携帯電話用のストラップとして使用した際の概略図である。図２に示したように、本考案の防災防犯用品（Ａ）は、携帯電話（Ｂ）用のストラップとして使用することができることから、常時、身体付近に携帯することができ、災害時及び防犯時に有用に使用することができる。
【産業上の利用可能性】
【００１４】
本考案の携帯型防災防犯用品は、非常に小型であり、好ましくは携帯電話用ストラップとして使用することができ、従って、ほぼいつでも携帯していることから、緊急的な防災時及び災害時に著しく効果的に利用可能である。従って、今後、防災防犯用品として大いに利用されることが期待される。
【符号の説明】
【００１５】
Ａ  携帯型防災防犯用品
Ｂ  携帯電話
ａ  棒状の本体
ｌ  棒状の本体の長さ
ｗ  棒状の本体の断面の長方形の長辺の長さ（幅）
ｔ  棒状の本体の断面の長方形の短辺の長さ（厚さ）
１  照明機能
２  笛機能
３  ブザー機能
４  個人認証機能
５  ＬＥＤライト
６  ブザー音出口
７  ＬＥＤライト（５）のスイッチ
８  空気吹込み口
９  空気吹出し口
１０  ブザー機能（３）のスイッチ
１１  着脱可能型の保護キャップ
【図１】
0003172034.tif 000003
【図２】
0003172034.tif 000004